(57)【要約】【課題】記録媒体に記録された画像データを容易に認識することができるようにインデックス画像を記録媒体の表面に形成する。【解決手段】  デジタルカメラ６０に対して記録データ及びインデックスデータが入力されると、それらのデータが記憶媒体６５に保存される。写真処理装置８０において、記憶媒体６５に保存された記録データ及びインデックスデータが読み取られると、記録データに基づいて選択された２以上の画像データがＣＤ−Ｒに記録されると共に、インデックスデータに基づいて選択された少なくとも１つの画像データに対応したインデックス画像がＣＤ−Ｒのレーベル面に印刷される。【選択図】  図４    
2005327415.tif 000002
【特許請求の範囲】
【請求項１】
記録媒体に記録される画像データを選択するための記録データ及び記録媒体上に形成されるインデックス画像に対応した画像データを選択するためのインデックスデータを外部から入力するための入力手段、及び、
前記入力手段によって入力された、前記記録データ及び前記インデックスデータを記憶媒体に保存する保存手段を備えた端末装置と、
記憶媒体に保存されたデータを読み取る読取手段、
複数の画像データを記憶する画像データ記憶手段、
前記読取手段によって読み取られた前記記録データに基づいて、前記画像データ記憶手段に記憶された複数の画像データの中から２以上の画像データを選択する第１の選択手段、
前記第１の選択手段によって選択された２以上の画像データを記録媒体に記録する画像データ記録手段、
前記読取手段によって読み取られた前記インデックスデータに基づいて、前記第１の選択手段によって選択された２以上の画像データの中から少なくとも１つの画像データを選択する第２の選択手段、及び、
前記第２の選択手段によって選択された少なくとも１つの画像データの全てに対応したインデックス画像を記録媒体上に形成するインデックス画像形成手段を有する画像記録装置とを備えていることを特徴とする画像記録システム。
【請求項２】
前記入力手段は、画像形成媒体に形成される画像に対応した画像データを選択するためのプリントデータを入力可能であると共に、
前記保存手段は、前記入力手段によって入力された、前記プリントデータを記憶媒体に保存可能であって、
前記画像記録装置は、
前記読取手段によって読み取られた前記プリントデータに基づいて、前記画像データ記憶手段に記憶された複数の画像データの中から少なくとも１つの画像データを選択する第３の選択手段と、
前記第３の選択手段によって選択された少なくとも１つの画像データに対応した画像を画像形成媒体上に形成する画像形成手段とをさらに備えていることを特徴とする請求項１に記載の画像記録システム。
【請求項３】
記録媒体に記録される画像データを選択するための記録データ及び記録媒体上に形成されるインデックス画像に対応した画像データを選択するためのインデックスデータを外部から入力するための入力手段、
前記入力手段によって入力された、前記記録データを記憶する記録データ記憶手段、
前記入力手段によって入力された、前記インデックスデータを記憶するインデックスデータ記憶手段、及び、
外部に通信手段を介してデータを送信する送信手段を備えた端末装置と、
外部から前記通信手段を介して送信されるデータを受信する受信手段、
複数の画像データを記憶する画像データ記憶手段、
前記受信手段によって受信された前記記録データに基づいて、前記画像データ記憶手段に記憶された複数の画像データの中から２以上の画像データを選択する第１の選択手段、
前記第１の選択手段によって選択された２以上の画像データを記録媒体に記録する画像データ記録手段、
前記受信手段によって受信された前記インデックスデータに基づいて、前記第１の選択手段によって選択された２以上の画像データの中から少なくとも１つの画像データを選択する第２の選択手段、及び、
前記第２の選択手段によって選択された少なくとも１つの画像データの全てに対応したインデックス画像を記録媒体上に形成するインデックス画像形成手段を有する画像記録装置とを備えていることを特徴とする画像記録システム。
【請求項４】
前記入力手段は、画像形成媒体に形成される画像に対応した画像データを選択するためのプリントデータを入力可能であって、
前記端末装置は、前記入力手段によって入力された、前記プリントデータを記憶するプリントデータ記憶手段をさらに備えていると共に、
前記画像記録装置は、
前記受信手段によって受信された前記プリントデータに基づいて、前記画像データ記憶手段に記憶された複数の画像データの中から少なくとも１つの画像データを選択する第３の選択手段と、
前記第３の選択手段によって選択された少なくとも１つの画像データに対応した画像を画像形成媒体上に形成する画像形成手段とをさらに備えていることを特徴とする請求項３に記載の画像記録システム。
【請求項５】
前記端末装置は、画像データを作成する画像データ作成手段をさらに備えていることを特徴とする請求項１〜４のいずれか１項に記載の画像記録システム。
【請求項６】
前記端末装置は、デジタルカメラであることを特徴とする請求項５に記載の画像記録システム。
【請求項７】
記録媒体に記録される画像データを選択するための記録データ及び記録媒体上に形成されるインデックス画像に対応した画像データを選択するためのインデックスデータを、端末装置に対して入力する入力ステップと、
前記端末装置において、前記入力ステップで入力された記録データ及びインデックスデータを記憶媒体に保存する保存ステップと、
画像記録装置において、記憶媒体に保存されたデータを読み取る読取ステップと、
前記画像記録装置において、前記読取ステップで読み取られた前記記録データに基づいて、画像データ記憶手段に記憶された複数の画像データの中から２以上の画像データを選択する第１の選択ステップと、
前記画像記録装置において、前記第１の選択ステップで選択された２以上の画像データを記録媒体に記録する画像データ記録ステップと、
前記画像記録装置において、前記読取ステップで読み取られた前記インデックスデータに基づいて、前記第１の選択ステップで選択された２以上の画像データの中から少なくとも１つの画像データを選択する第２の選択ステップと、
前記画像記録装置において、前記第２の選択ステップで選択された少なくとも１つの画像データの全てに対応したインデックス画像を記録媒体上に形成するインデックス画像形成ステップとを備えていることを特徴とする画像記録方法。
【請求項８】
記録媒体に記録される画像データを選択するための記録データ及び記録媒体上に形成されるインデックス画像に対応した画像データを選択するためのインデックスデータを、端末装置に対して入力する入力ステップと、
前記入力ステップで入力された記録データ及びインデックスデータを前記端末装置から通信手段を介して画像記録装置に供給するデータ供給ステップと、
前記画像記録装置において、前記データ供給ステップで供給された前記記録データに基づいて、画像データ記憶手段に記憶された複数の画像データの中から２以上の画像データを選択する第１の選択ステップと、
前記画像記録装置において、前記第１の選択ステップで選択された２以上の画像データを記録媒体に記録する画像データ記録ステップと、
前記画像記録装置において、前記データ供給ステップで供給された前記インデックスデータに基づいて、前記第１の選択ステップで選択された２以上の画像データの中から少なくとも１つの画像データを選択する第２の選択ステップと、
前記画像記録装置において、前記第２の選択ステップで選択された少なくとも１つの画像データの全てに対応したインデックス画像を記録媒体上に形成するインデックス画像形成ステップとを備えていることを特徴とする画像記録方法。
【発明の詳細な説明】
【技術分野】
【０００１】
本発明は、複数の画像データを記録媒体に記録する画像記録システム及び画像記録方法に関する。
【背景技術】
【０００２】
デジタルカメラで撮影された画像データは、そのカメラに装填されたスマートメディアやコンパクトフラッシュ(登録商標）等の記憶媒体に保存される。そして、画像データを保存した記憶媒体は、顧客によって写真店に預けられて、写真店においてプリント処理が行われる。写真店では、画像データのプリント処理が終了すると、写真プリントと共に、顧客から預かった記憶媒体が返却される。その際には、記憶媒体に保存されていた画像データが記録されたＣＤ−Ｒ等の記録媒体及びそれらの画像に対応したインデックス画像が形成されたインデックスプリントがあわせて提供される。
【０００３】
ここで、顧客がＣＤ−Ｒに記録された画像データの内容を容易に認識することができるように、ＣＤ−Ｒのレーベル面（表面）には画像データに対応するインデックス画像が印刷されることが多い（例えば、特許文献１参照）。
【特許文献１】特開１１−８６５０５号公報（図１）
【発明の開示】
【発明が解決しようとする課題】
【０００４】
大容量のＣＤ−Ｒには多数の画像データが記録可能であるので、それら全ての画像データに対応したインデックス画像をＣＤ−Ｒのレーベル面に印刷することができない場合がある。このような場合には、ＣＤ−Ｒのレーベル面には、多数の画像データのなかの一部の画像データに対応したインデックス画像しか印刷することができない。
【０００５】
ここで、写真処理装置には、ＣＤ−Ｒのレーベル面にインデックス画像として印刷する画像データをどのように選択するかの設定が行われていることが多い。例えば、写真処理装置には、番号順に並べられた多数の画像データに対応するインデックス画像の全てをＣＤ−Ｒのレーベル面に印刷できないときには、番号の小さい画像データから所定数（例えば、５〜１０個）の画像データを選択するという設定が行われている。従って、顧客は、写真処理装置における設定にしたがって選択された画像データに対応したインデックス画像に基づいて、ＣＤ−Ｒに記録された多数の画像データを認識しなければならない。しかしながら、写真処理装置で自動的に選択される画像データに対応したインデックス画像では、顧客がＣＤ−Ｒに記録された多数の画像データを認識するのが困難な場合がある。
【０００６】
そこで、本発明の目的は、記録媒体に記録された画像データを容易に認識することができるようなインデックス画像を記録媒体上に形成する画像記録システム及び画像記録方法を提供することである。
【課題を解決するための手段および発明の効果】
【０００７】
本発明の画像記録システムは、記録媒体に記録される画像データを選択するための記録データ及び記録媒体上に形成されるインデックス画像に対応した画像データを選択するためのインデックスデータを外部から入力するための入力手段、及び、前記入力手段によって入力された、前記記録データ及び前記インデックスデータを記憶媒体に保存する保存手段を備えた端末装置と、記憶媒体に保存されたデータを読み取る読取手段、複数の画像データを記憶する画像データ記憶手段、前記読取手段によって読み取られた前記記録データに基づいて、前記画像データ記憶手段に記憶された複数の画像データの中から２以上の画像データを選択する第１の選択手段、前記第１の選択手段によって選択された２以上の画像データを記録媒体に記録する画像データ記録手段、前記読取手段によって読み取られた前記インデックスデータに基づいて、前記第１の選択手段によって選択された２以上の画像データの中から少なくとも１つの画像データを選択する第２の選択手段、及び、前記第２の選択手段によって選択された少なくとも１つの画像データの全てに対応したインデックス画像を記録媒体上に形成するインデックス画像形成手段を有する画像記録装置とを備えている。
【０００８】
本発明の画像記録方法は、記録媒体に記録される画像データを選択するための記録データ及び記録媒体上に形成されるインデックス画像に対応した画像データを選択するためのインデックスデータを、端末装置に対して入力する入力ステップと、前記端末装置において、前記入力ステップで入力された記録データ及びインデックスデータを記憶媒体に保存する保存ステップと、画像記録装置において、記憶媒体に保存されたデータを読み取る読取ステップと、前記画像記録装置において、前記読取ステップで読み取られた前記記録データに基づいて、画像データ記憶手段に記憶された複数の画像データの中から２以上の画像データを選択する第１の選択ステップと、前記画像記録装置において、前記第１の選択ステップで選択された２以上の画像データを記録媒体に記録する画像データ記録ステップと、前記画像記録装置において、前記読取ステップで読み取られた前記インデックスデータに基づいて、前記第１の選択ステップで選択された２以上の画像データの中から少なくとも１つの画像データを選択する第２の選択ステップと、前記画像記録装置において、前記第２の選択ステップで選択された少なくとも１つの画像データの全てに対応したインデックス画像を記録媒体上に形成するインデックス画像形成ステップとを備えている。
【０００９】
この構成によると、端末装置に対して記録データ及びインデックスデータが入力されると、それらのデータが記憶媒体に保存される。そして、画像記録装置において、上記記憶媒体に保存された記録データ及びインデックスデータが読み取られると、記録データに基づいて選択された２以上の画像データが記録媒体に記録されると共に、インデックスデータに基づいて選択された少なくとも１つの画像データに対応したインデックス画像が記録媒体上に形成される。従って、端末装置の操作者は、端末装置に対して記録データ及びインデックスデータを入力することによって、記録媒体に記録される複数の画像データを認識するために適したインデックス画像を記録媒体上に形成することができる。その結果、端末装置の操作者は、記録媒体に記録された画像データを容易に認識することができるようになる。
【００１０】
本発明の画像記録システムにおいて、前記入力手段は、画像形成媒体に形成される画像に対応した画像データを選択するためのプリントデータを入力可能であると共に、前記保存手段は、前記入力手段によって入力された、前記プリントデータを記憶媒体に保存可能であって、前記画像記録装置は、前記読取手段によって読み取られた前記プリントデータに基づいて、前記画像データ記憶手段に記憶された複数の画像データの中から少なくとも１つの画像データを選択する第３の選択手段、及び、前記第３の選択手段によって選択された少なくとも１つの画像データに対応する画像を画像形成媒体上に形成する画像形成手段をさらに備えていてもよい。
【００１１】
この構成によると、端末装置に対して入力されたプリントデータに基づいて選択された少なくとも１つの画像データに対応した画像を画像記録装置において画像形成媒体上に形成することができる。
【００１２】
本発明の画像記録システムは、記録媒体に記録される画像データを選択するための記録データ及び記録媒体上に形成されるインデックス画像に対応した画像データを選択するためのインデックスデータを外部から入力するための入力手段、前記入力手段によって入力された、前記記録データを記憶する記録データ記憶手段、前記入力手段によって入力された、前記インデックスデータを記憶するインデックスデータ記憶手段、及び、外部に通信手段を介してデータを送信する送信手段を備えた端末装置と、外部から前記通信手段を介して送信されるデータを受信する受信手段、複数の画像データを記憶する画像データ記憶手段、前記受信手段によって受信された前記記録データに基づいて、前記画像データ記憶手段に記憶された複数の画像データの中から２以上の画像データを選択する第１の選択手段、前記第１の選択手段によって選択された２以上の画像データを記録媒体に記録する画像データ記録手段、前記受信手段によって受信された前記インデックスデータに基づいて、前記第１の選択手段によって選択された２以上の画像データの中から少なくとも１つの画像データを選択する第２の選択手段、及び、前記第２の選択手段によって選択された少なくとも１つの画像データの全てに対応したインデックス画像を記録媒体上に形成するインデックス画像形成手段を有する画像記録装置とを備えている。
【００１３】
本発明の画像記録方法は、記録媒体に記録される画像データを選択するための記録データ及び記録媒体上に形成されるインデックス画像に対応した画像データを選択するためのインデックスデータを、端末装置に対して入力する入力ステップと、前記入力ステップで入力された記録データ及びインデックスデータを前記端末装置から通信手段を介して画像記録装置に供給するデータ供給ステップと、前記画像記録装置において、前記データ供給ステップで供給された前記記録データに基づいて、画像データ記憶手段に記憶された複数の画像データの中から２以上の画像データを選択する第１の選択ステップと、前記画像記録装置において、前記第１の選択ステップで選択された２以上の画像データを記録媒体に記録する画像データ記録ステップと、前記画像記録装置において、前記データ供給ステップで供給された前記インデックスデータに基づいて、前記第１の選択ステップで選択された２以上の画像データの中から少なくとも１つの画像データを選択する第２の選択ステップと、前記画像記録装置において、前記第２の選択ステップで選択された少なくとも１つの画像データの全てに対応したインデックス画像を記録媒体上に形成するインデックス画像形成ステップとを備えている。
【００１４】
この構成によると、端末装置に対して記録データ及びインデックスデータが入力されると、それらのデータが端末装置から通信手段を介して画像記録装置に供給される。すると、画像記録装置において、記録データに基づいて選択された２以上の画像データが記録媒体に記録されると共に、インデックスデータに基づいて選択された少なくとも１つの画像データに対応したインデックス画像が記録媒体上に形成される。従って、端末装置の操作者は、端末装置に対して記録データ及びインデックスデータを入力することによって、記録媒体に記録される複数の画像データを認識するために適したインデックス画像を記録媒体上に形成することができる。その結果、端末装置の操作者は、記録媒体に記録された画像データを容易に認識することができるようになる。
【００１５】
本発明の画像記録システムにおいて、前記入力手段は、画像形成媒体に形成される画像に対応した画像データを選択するためのプリントデータを入力可能であって、前記端末装置は、前記入力手段によって入力された、前記プリントデータを記憶するプリントデータ記憶手段をさらに備えていると共に、前記画像記録装置は、前記受信手段によって受信された前記プリントデータに基づいて、前記画像データ記憶手段に記憶された複数の画像データの中から少なくとも１つの画像データを選択する第３の選択手段、及び、前記第３の選択手段によって選択された少なくとも１つの画像データに対応する画像を画像形成媒体上に形成する画像形成手段をさらに備えていてもよい。
【００１６】
この構成によると、端末装置に対して入力されたプリントデータに基づいて選択された少なくとも１つの画像データに対応した画像を画像記録装置において画像形成媒体上に形成することができる。
【００１７】
本発明の画像記録システムにおいて、前記端末装置は、画像データを作成する画像データ作成手段をさらに備えていてもよい。
【００１８】
この構成によると、端末装置において画像データを作成することによって、画像データと、記録データ及びインデックスデータとを画像記録装置にまとめて供給することができる。
【００１９】
本発明の画像記録システムにおいて、前記端末装置は、デジタルカメラであってもよい。
【００２０】
なお、記録媒体としては、例えばＣＤ−Ｒ、ＤＶＤ、フロッピー(登録商標）ディスクなど、画像データを記録可能なものであればどのようなものであってもよい。また、画像形成媒体としては、例えば写真処理装置（プリンタプロセッサ）において画像が形成される写真感光媒体（印画紙）、インクジェットプリンタにおいて画像が形成される用紙（ペーパー）など、画像を形成可能なものであればどのようなものであってもよい。
【発明を実施するための最良の形態】
【００２１】
以下、本発明の好適な実施の形態について、図面を参照しつつ説明する。図１は、本発明の第１の実施の形態に係る画像記録システムの外観を示す斜視図であり、図２は、そのうちのＣＤ−Ｒ書き込み装置の構成を示す斜視図である。
【００２２】
＜画像記録システムの構成＞
図１に示す画像記録システムは、デジタルカメラ６０と、写真処理装置８０とを備えている。デジタルカメラ６０は、複数の操作ボタンを含む操作部６１と、液晶ディスプレイ６２とを有している。また、デジタルカメラ６０では、スマートメディアやコンパクトフラッシュ(登録商標）等の記憶媒体６５が装填可能になっている。従って、デジタルカメラ６０で撮影されることによって作成された画像データや、デジタルカメラの操作者が液晶ディスプレイ６２に表示された内容を見ながら操作部６１を操作することによって入力した各データは、記憶媒体６５に保存される。
【００２３】
写真処理装置８０は、プリンタプロセッサ１と、ＣＤ−Ｒ書き込み装置２とを備えている。プリンタプロセッサ１には、プリント装置３とプロセッサ装置４とが設けられており、プリント装置側の上部には、モニタ５とスキャナ装置６とが設けられている。スキャナ装置６には、ネガキャリア７が着脱自在に構成されており、ネガキャリア７に挿入されたネガフィルムのコマ画像を読み取ることができる。モニタ５は、スキャナ装置６により読み取られたコマ画像を映し出すことができる。
【００２４】
モニタ５やスキャナ装置６の手前側には、操作テーブル８が設けられている。操作テーブル８には、各種のデータの入力やプリンタプロセッサ１に対する指示入力を行うためのキーボード９やマウス１０が設けられている。操作テーブル８の下方には、各種の記憶媒体からの画像データ等の入力を行うためのドライブ装置１１が設けられている。従って、ドライブ装置１１は、スマートメディアやコンパクトフラッシュ(登録商標）のような記憶媒体６５からのデータの読み取りを可能にしている。
【００２５】
プロセッサ装置４は、公知の現像処理部と乾燥処理部とを備えている。所定の処理が施されたペーパーは、プリント排出部１２から仕上がり写真プリントＰとして装置外部に排出される。プリント排出部１２から排出された写真プリントＰは、横送りコンベア１３によりソータ１４に向けて移送される。ソータ１４は、多数のトレイ１４ａが循環駆動されるように構成されており、トレイ１４ａの搭載面の上に、横送りコンベア１３により送り込まれた写真プリントＰが搭載される。
【００２６】
図１において、プリンタプロセッサ１とＣＤ−Ｒ書き込み装置２とは別体の装置であり、両者を通信ケーブル（図示しない）により接続している。従って、プリンタプロセッサ１とＣＤ−Ｒ書き込み装置２とは連動させて作動させることができる。なお、上記のような別体装置ではなく、ＣＤ−Ｒ書き込み装置２の機能をプリンタプロセッサ１の中に組み込み、一体化した装置により写真処理装置８０を構成しても良い。
【００２７】
＜ＣＤ−Ｒ書き込み装置の構成＞
次に、ＣＤ−Ｒ書き込み装置２の詳細な構成を図２を参照して説明する。この装置は、記録媒体であるＣＤ−Ｒに画像データの書き込みを行うための装置である。この装置は、ＣＤ−Ｒ移送装置２０と、印刷部２１と、書き込み部２２と、集積部２３とを備えている。
【００２８】
ＣＤ−Ｒ移送装置２０は、ＣＤ−Ｒをつかんで移送するＣＤ−Ｒピッカー２４と、ＣＤ−Ｒピッカー２４を上下方向にガイドするガイド部２５とを備えている。ＣＤ−Ｒピッカー２４は、ＣＤ−Ｒの中央の孔を利用してＣＤ−Ｒをつかむための爪部材（図示しない）を有している。この爪部材を駆動することにより、ＣＤ−Ｒをつかんだり、つかんでいるＣＤ−Ｒを離したりすることができる。爪部材は、例えば円周方向に沿って等間隔に配置された３箇所の爪レバーにより構成し、各爪レバーを半径方向に沿って移動可能に構成すればよい。
【００２９】
さらに、ＣＤ−Ｒピッカー２４は、図２に示すように１８０゜回転することができる。これにより、処理済みのＣＤ−Ｒをつかんで、指定されたトレイの上に搭載することができる。
【００３０】
集積部２３は、矢印方向に移動可能なトレイ２６が設けられており、データが何も書き込まれていない生のＣＤ−Ｒが多数集積されている。書き込み部２２にも、矢印方向に移動可能なトレイ２７が設けられており、ＣＤ−Ｒへの画像データの書き込みが行われる。なお、画像データの書き込みは所定のファイル形式で行われる。ファイル形式には、例えばＪＰＥＧ、ビットマップ、ＧＩＦＦがあるが、特定のファイル形式に限定されるものではない。
【００３１】
印刷部２１にも、矢印方向に移動可能なトレイ２８が設けられており、書き込み処理の終了したＣＤ−Ｒのレーベル面にインデックス画像の印刷を行う。インデックス画像とは、書き込みが行われた画像データに対応するサムネイル画像のことである。このインデックス画像を見ることにより、どのような画像データが書き込まれているかを直ちに認識することができる。
【００３２】
＜プリンタプロセッサの内部構成＞
次に、プリンタプロセッサ１の内部の概略構成について、図３を参照して説明する。図３は、プリンタプロセッサの内部構成を模式的に示す図である。プリント装置３は、写真感光材料であるペーパーがロール状に収容されたペーパーマガジン３０が着脱自在に取り付けられる。ペーパーマガジン３０から引き出された長尺状のペーパーは、ペーパーカッタ３１によりプリントサイズ（仕上がり写真プリントのサイズ）に切断される。
【００３３】
ペーパーカッタ３１の下流側には、露光エンジン３２が配置されている。露光エンジン３２は、デジタル式の露光装置であり、スキャナ装置６により読み取られた画像データに基づいてペーパーに画像を焼付露光する。露光エンジン３２としては、適宜の方式のものを採用することができ、例えばレーザーエンジン、ＣＲＴエンジン、ＰＬＺＴエンジン等を採用することができる。
【００３４】
プロセッサ装置４は、現像処理部３４と乾燥処理部３５とを備えている。露光エンジン３２により画像が焼付露光されたペーパーは、このプロセッサ装置４で公知の処理が施される。乾燥処理部３５を通過したペーパーは、既に述べたように、プリント排出部１２から排出される。
【００３５】
スキャナ装置６は、ネガキャリア７に装填されているネガフィルムに記録されたコマ画像を読み取る。そのために、読み取り用の光源３６と、ＣＣＤセンサ３７とが設けられている。ＣＣＤセンサ３７は、ラインセンサ、エリアセンサのいずれでも良い。なお、スキャナ装置６の構成としても、その他の種々の構成例を採用することができる。
【００３６】
＜ブロック構成図＞
次に、画像記録システムの制御ブロックの構成について、図４を参照して説明する。図４は、画像記録システムの主要な制御ブロックを示す図である。
【００３７】
制御装置４０は、デジタルカメラ６０の各部の動作の制御を行う。制御装置４０は、ＣＰＵ、メモリ、ハードディスク、インターフェイス等のハードウェアと、制御プログラム等のソフトウェアにより構成される。制御装置４０は、画像データ作成部４１を有している。また、制御装置４０には、操作部６１と、ディスプレイ６２と、記憶媒体装填部６３とがそれぞれ接続されている。画像データ作成部４１は、操作部６１が操作されることによって撮影が行われた場合に、その撮影に対応する画像データを作成する。そして、画像データ作成部４１によって作成された画像データは、記憶媒体装填部６３に装填された記憶媒体６５に保存される。ここで、記憶媒体６５に保存される複数の画像データには、互いに異なる数字のファイル番号（例えば、００１、００２、００３、・・・）が割り当てられる。
【００３８】
制御装置５０は、写真処理装置８０の各部の動作の制御を行う。制御装置５０は、ＣＰＵ、メモリ、ハードディスク、インターフェイス等のハードウェアと、制御プログラム等のソフトウェアにより構成される。制御装置５０は、画像データ記憶部５１と、記録データ記憶部５２と、インデックスデータ記憶部５３と、プリントデータ記憶部５４と、記録画像選択部５５と、インデックス画像選択部５６と、プリント画像選択部５７と、インデックス画像作成部５８とを有している。また、制御装置５０には、スキャナ装置６、露光エンジン３２、ＣＤ−Ｒ書き込み装置２、モニタ５、キーボード９、マウス１０及びドライブ装置１１がそれぞれ接続されている。
【００３９】
画像データ記憶部５１は、ドライブ装置１１から入力された複数の画像データまたはスキャナ装置６から取り込まれた複数の画像データを記憶する。ここで、画像データ記憶部５１では、複数の画像データには互いに異なる数字のファイル番号が割り当てられる。なお、複数の画像データが、ドライブ装置１１から入力された画像データである場合には、ドライブ装置１１で読み取られた記憶媒体におけるファイル番号と同じファイル番号が割り当てられている。
【００４０】
記録データ記憶部５２は、記憶媒体６５に保存された記録データがドライブ装置１１から入力された場合に、その入力された記録データを記憶する。ここで、記録データとは、画像データ記憶部５１に記憶された複数の画像データの中から、ＣＤ−Ｒに記録される２以上の画像データを選択するためのデータである。
【００４１】
インデックスデータ記憶部５３は、記憶媒体６５に保存されたインデックスデータがドライブ装置１１から入力された場合に、その入力されたインデックスデータを記憶する。ここで、インデックスデータとは、ＣＤ−Ｒに記録される２以上の画像データの中から、ＣＤ−Ｒのレーベル面に印刷されるインデックス画像に対応した画像データを選択するためのデータである。
【００４２】
プリントデータ記憶部５４は、記憶媒体６５に保存されたプリントデータがドライブ装置１１から入力された場合に、その入力されたプリントデータを記憶する。ここで、プリントデータとは、画像データ記憶部５１に記憶された複数の画像データの中から、プリンタプロセッサ１におけるプリント処理が行われる少なくとも１つの画像データを選択するためのデータである。
【００４３】
なお、記録データ、インデックスデータ及びプリントデータとしては、例えば、ＣＤ−Ｒに記録される画像データ、ＣＤ−Ｒのレーベル面に印刷されるインデックス画像に対応した画像データ、プリンタプロセッサ１におけるプリント処理が行われる画像データのそれぞれに割り当てられたファイル番号が利用される。
【００４４】
記録画像選択部５５は、記録データ記憶部５２に記憶された記録データに基づいて、画像データ記憶部５１に記憶された複数の画像データの中から２以上の画像データを選択する。
【００４５】
インデックス画像選択部５６は、インデックスデータ記憶部５３に記憶されたインデックスデータに基づいて、記録画像選択部５５により選択された２以上の画像データの中から少なくとも１つの画像データを選択する。
【００４６】
プリント画像選択部５７は、プリントデータ記憶部５４に記憶されたプリントデータに基づいて、画像データ記憶部５１に記憶された複数の画像データの中から少なくとも１つの画像データを選択する。
【００４７】
なお、本実施の形態では、上述したように、記録データ、インデックスデータ及びプリントデータとしては、画像データのそれぞれに割り当てられたファイル番号が利用されるので、記録画像選択部５５、インデックス画像選択部５６及びプリント画像選択部５７は、各データに含まれるファイル番号に対応する画像データを選択する。
【００４８】
インデックス画像作成部５８は、画像データ記憶部５１に記憶された画像データに基づいて、インデックス画像選択部５６により選択された画像データに対応したインデックス画像を作成する。
【００４９】
＜動作説明＞
次に、デジタルカメラ６０によって作成された画像データが写真処理装置８０においてプリント処理が行われる場合の手順について、図５を参照して説明する。図５は、デジタルカメラによって作成された画像データが写真処理装置においてプリント処理が行われる場合の手順を示すフローチャートである。
【００５０】
まず、デジタルカメラ６０で撮影されることによって画像データが作成されると、作成された画像データが記憶媒体装填部６３に装填された記憶媒体６５に保存される（ステップＳ１０１）。そして、デジタルカメラ６０の操作者によって、操作部６１が操作されることによって、デジタルカメラ６０に対して記録データが入力される（ステップＳ１０２）。その後、同様にして、デジタルカメラ６０の操作者によって、デジタルカメラ６０に対してインデックスデータが入力され（ステップＳ１０３）、デジタルカメラ６０に対してインデックスデータが入力される（ステップＳ１０４）。このようにして、デジタルカメラ６０に対して入力された各データは、記憶媒体６５に保存される（ステップＳ１０５）。
【００５１】
そして、デジタルカメラ６０において、画像データ、記録データ、インデックスデータ及びプリントデータが保存された記憶媒体６５が、記憶媒体装填部６３から取り出されて、写真処理装置８０のドライブ装置１１に挿入されると、これらのデータが記憶媒体６５から読み取られる（ステップＳ１０６）。すると、画像データ、記録データ、インデックスデータ及びプリントデータが、画像データ記憶部５１、記録データ記憶部５２、インデックスデータ記憶部５３、プリントデータ記憶部５４にそれぞれ記憶される（ステップＳ１０７）。
【００５２】
そして、プリント画像選択部５７によって、プリントデータ記憶部５４に記憶されたプリントデータに基づいて、プリントプロセッサ１におけるプリント処理が行われる画像データが選択される（ステップＳ１０８）。すると、その選択された画像データに関してプリント処理が行われる（ステップＳ１０９）。
【００５３】
記録画像選択部５５によって、記録データ記憶部５２に記憶された記録データに基づいて、ＣＤ−Ｒに書き込まれる画像データが選択される（ステップＳ１１０）。すると、その選択された画像データのＣＤ−Ｒへの書き込みが行われる（ステップＳ１１１）。
【００５４】
インデックス画像選択部５６によって、インデックスデータ記憶部５３に記憶されたインデックスデータに基づいて、ＣＤ−Ｒのレーベル面に印刷されるインデックス画像に対応した画像データが選択される（ステップＳ１１２）。すると、その選択された画像データに対応したインデックス画像が作成される（ステップＳ１１３）。最後に、このようにして作成されたインデックス画像が、ＣＤ−Ｒのレーベル面に印刷されて、処理が終了する（ステップＳ１１４）。
【００５５】
以上説明したように、本実施の形態の画像記録システムにおいては、デジタルカメラ６０に対して記録データ及びインデックスデータが入力されると、それらのデータが記憶媒体６５に保存される。そして、写真処理装置において、記憶媒体６５に保存された記録データ及びインデックスデータが読み取られると、記録データに基づいて選択された２以上の画像データがＣＤ−Ｒに記録されると共に、インデックスデータに基づいて選択された少なくとも１つの画像データに対応したインデックス画像がＣＤ−Ｒのレーベル面に印刷される。従って、デジタルカメラ６０の操作者は、デジタルカメラ６０に対して記録データ及びインデックスデータを入力することによって、ＣＤ−Ｒに記録される複数の画像データを認識するために適したインデックス画像をＣＤ−Ｒのレーベル面に印刷することができる。その結果、デジタルカメラ６０の操作者は、ＣＤ−Ｒに記録された画像データを容易に認識することができるようになる。
【００５６】
次に、本発明の第２の実施の形態について、図面を参照しつつ説明する。図６は、第２の実施の形態に係る画像記録システムの主要な制御ブロックを示す図である。
【００５７】
第２の実施の形態の画像記録システムが、第１の実施の形態の画像記録システムと主に異なる点は、第１の実施の形態では、デジタルカメラ６０に対して入力された各データが記録媒体６５を介して写真処理装置８０に供給されているのに対して、第２の実施の形態では、撮像端末装置１６０に対して入力された各データがインターネット１９０を介して写真処理装置１８０に供給されている点である。なお、本実施の形態に係る画像記録システムのその他の構成は、図１の画像記録システムと同一であるので、同一符号を付して説明を省略する。
【００５８】
＜画像記録システムの構成＞
撮像端末装置１６０は、複数の操作ボタンを含む操作部６１と、液晶ディスプレイ６２と、送信部１６５とを備えている。また、写真処理装置１８０は、受信部１８５を備えている。ここで、撮像端末装置１６０の送信部１６５と、写真処理装置１８０の受信部１８５との間は、インターネット１９０を介して接続可能であって、撮像端末装置１６０から写真処理装置１８０に対してデータを送信可能となっている。
【００５９】
＜ブロック構成図＞
次に、第２の実施の形態に係る画像記録システムの制御ブロックの構成について、図６を参照して説明する。図６は、第２の実施の形態に係る画像記録システムの主要な制御ブロックを示す図である。
【００６０】
制御装置１４０は、撮像端末装置１６０の各部の動作の制御を行う。制御装置１４０は、ＣＰＵ、メモリ、ハードディスク、インターフェイス等のハードウェアと、制御プログラム等のソフトウェアにより構成される。制御装置１４０は、画像データ作成部１４１と、画像データ記憶部１４２と、記録データ記憶部１４３と、インデックスデータ記憶部１４４と、プリントデータ記憶部１４５とを有している。また、制御装置１４０には、操作部６１と、ディスプレイ６２と、送信部１６５とがそれぞれ接続されている。
【００６１】
画像データ作成部１４１は、操作部６１が操作されることによって撮影が行われた場合に、その撮影に対応する画像データを作成する。画像データ記憶部１４２は、画像データ作成部１４１で作成された複数の画像データを記憶する。記録データ記憶部１４３は、撮像端末装置１６０に対して記録データが入力された場合に、その入力された記録データを記憶する。インデックスデータ記憶部１４４は、撮像端末装置１６０に対してインデックスデータが入力された場合に、その入力されたインデックスデータを記憶する。プリントデータ記憶部１４５は、撮像端末装置１６０に対してプリントデータが入力された場合に、その入力されたプリントデータを記憶する。
【００６２】
送信部１６５は、画像データ記憶部１４２、記録データ記憶部１４３、インデックスデータ記憶部１４４及びプリントデータ記憶部１４５に記憶された各データをインターネット１９０を介して写真処理装置１８０に送信するためのものである。
【００６３】
また、制御装置５０には、スキャナ装置６、露光エンジン３２、ＣＤ−Ｒ書き込み装置２、モニタ５、キーボード９、マウス１０及び受信部１８５がそれぞれ接続されている。受信部１８５は、撮像端末装置１６０からインターネット１９０を介して送信された各データを受信するためのものである。
【００６４】
なお、画像データ記憶部５１、記録データ記憶部５２、インデックスデータ記憶部５３及びプリントデータ記憶部５４は、各データが撮像端末装置１６０からインターネット１９０を介して写真処理装置１８０に送信された場合に、各データを記憶する。
【００６５】
＜動作説明＞
次に、撮像端末装置１６０によって作成された画像データが写真処理装置１８０においてプリント処理が行われる場合の手順について、図７を参照して説明する。図７は、撮像端末装置によって作成された画像データが写真処理装置においてプリント処理が行われる場合の手順を示すフローチャートである。
【００６６】
まず、撮像端末装置１６０で撮影されることによって画像データが作成されると、作成された画像データが画像データ記憶部１４２に記憶される（ステップＳ２０１）。そして、撮像端末装置１６０の操作者によって、操作部６１が操作されることによって、撮像端末装置１６０に対して記録データが入力されると、入力された記録データが記憶データ記憶部１４３に記憶される（ステップＳ２０２）。その後、同様にして、撮像端末装置１６０に対してインデックスデータが入力されると、入力されたインデックスデータがインデックスデータ記憶部１４４に記憶され（ステップＳ２０３）、撮像端末装置１６０に対してプリントデータが入力されると、入力されたプリントデータがプリントデータ記憶部１４５に記憶される（ステップＳ２０４）。
【００６７】
そして、撮像端末装置１６０において、それぞれ記憶された各データが、撮像端末装置１６０からインターネット１９０を介して写真処理装置１８０に対して供給される（ステップＳ２０５）。すると、画像データ、記録データ、インデックスデータ及びプリントデータが、画像データ記憶部５１、記録データ記憶部５２、インデックスデータ記憶部５３、プリントデータ記憶部５４にそれぞれ記憶される（ステップＳ２０６）。その後、第１の実施の形態のステップＳ１０８〜ステップＳ１１４と同様の処理が行われる（ステップＳ２０７〜ステップＳ２１３）。
【００６８】
以上説明したように、本実施の形態の画像記録システムにおいては、撮像端末装置１６０に対して記録データ及びインデックスデータが入力されると、それらのデータが撮像端末装置１６０からインターネット１９０を介して写真処理装置１８０に供給される。すると、写真処理装置１８０において、記録データに基づいて選択された２以上の画像データがＣＤ−Ｒに記録されると共に、インデックスデータに基づいて選択された少なくとも１つの画像データに対応したインデックス画像がＣＤ−Ｒのレーベル面に印刷される。従って、撮像端末装置１６０の操作者は、撮像端末装置１６０に対して記録データ及びインデックスデータを入力することによって、ＣＤ−Ｒに記録される複数の画像データを認識するために適したインデックス画像をＣＤ−Ｒのレーベル面に印刷することができる。その結果、撮像端末装置１６０の操作者は、ＣＤ−Ｒに記録された画像データを容易に認識することができるようになる。
【００６９】
以上、本発明の好適な実施の形態について説明したが、本発明は上述の実施の形態に限られるものではなく、特許請求の範囲に記載した限りにおいて様々な設計変更が可能なものである。例えば、上述の第１及び第２の実施の形態では、デジタルカメラ６０または撮像端末装置１６０に対してプリントデータが入力されて、その入力されたプリントデータに基づいて写真処理装置８０、１８０におけるプリント処理が行われているが、本発明の画像記録装置としては、プリント処理を行う機能を有しないＣＤ−Ｒ書き込み装置２だけであってもよい。
【００７０】
また、上述の第１及び第２の実施の形態では、画像データがデジタルカメラ６０または撮像端末装置１６０において作成されて、画像データと記録データ等の各データとがまとめて写真処理装置８０、１８０に供給されているが、画像データは、記録データ等の各データとは別に、写真処理装置８０、１８０に供給されてもよい。
【００７１】
また、上述の第２の実施の形態では、各データが撮像端末装置１６０からインターネット１９０を介して写真処理装置１８０に供給されているが、インターネット１９０以外の通信手段を介して、撮像端末装置１６０から写真処理装置１８０に各データが供給されてもよい。
【００７２】
また、上述の第１及び第２の実施の形態では、インデックス画像がＣＤ−Ｒのレーベル面に印刷されているが、記録媒体としては、ＣＤ−Ｒに限定されるものではなく、ＤＶＤやフロッピー(登録商標）ディスク等の記録媒体であってもよい。また、上述の実施の形態では、プリンタプロセッサ（写真処理装置）においてインデックス画像が写真感光材料であるペーパーに形成されているが、画像形成媒体としては、インクジェットプリンタにおいてインデックス画像が形成される用紙等の画像形成媒体であってもよい。
【図面の簡単な説明】
【００７３】
【図１】本発明の第１の実施の形態に係る画像記録システムの外観を示す斜視図である。
【図２】図１に示すＣＤ−Ｒ書き込み装置の構成を示す斜視図である。
【図３】図１に示すプリンタプロセッサの内部構成を模式的に示す図である。
【図４】図１に示す画像記録システムの主要な制御ブロックを示す図である。
【図５】図１に示す画像記録システムにおけるプリント処理の手順を示すフローチャートである
【図６】本発明の第２の実施の形態に係る画像記録システムの主要な制御ブロックを示す図である。
【図７】図６に示す画像記録システムにおけるプリント処理の手順を示すフローチャートである
【符号の説明】
【００７４】
１  プリンタプロセッサ
２  ＣＤ−Ｒ書き込み装置（画像データ記録手段）
１１  ドライブ装置（読取手段）
２１  印刷部（インデックス画像形成手段）
２２  書き込み部
３２  露光エンジン（画像形成手段）
４０  制御装置
４１  画像データ作成部（画像データ作成手段）
５０  制御装置
５１  画像データ記憶部（画像データ記憶手段）
５２  記録データ記憶部
５３  インデックスデータ記憶部
５４  プリントデータ記憶部
５５  記録画像選択部（第１の選択手段）
５６  インデックス画像選択部（第２の選択手段）
５７  プリント画像選択部（第３の選択手段）
５８  インデックス画像作成部
６０  デジタルカメラ（端末装置）
６１  操作部（入力手段）
６３  記憶媒体装填部（保存手段）
６５  記憶媒体
８０、１８０  写真処理装置（画像記録装置）
１６０  撮像端末装置（端末装置）
【図１】
2005327415.tif 000003
【図２】
2005327415.tif 000004
【図３】
2005327415.tif 000005
【図４】
2005327415.tif 000006
【図５】
2005327415.tif 000007
【図６】
2005327415.tif 000008
【図７】
2005327415.tif 000009